(57)【特許請求の範囲】
【請求項１】
肌当接面側に液透過性の表面シート、非肌当接面側に裏面シート、これら両シート間に配された吸収体を具備する縦長の吸収性物品であって、
前記表面シートは、２枚以上の繊維シートからなる規則的な凹凸部を有するシートであり、該表面シートには、４点以上の圧着部からなる凹部に囲まれ且つ肌当接面側に突出する多数の凸部が形成されており、
前記表面シートの前記凸部それぞれは、底面積が４〜１００ｍｍ2で、高さが１〜１０ｍｍであり、
前記表面シートの凸部それぞれの内部は、該表面シートを構成する２枚のシートにより中空構造であり、
中空構造の前記表面シートは、前記凸部を構成する天面部の厚み（Ｗ１）が該凸部を構成する壁部の裾の厚み（Ｗ２）よりも嵩高であり、該天面部の密度が該壁部の裾の密度よりも低く、前記凹部を形成する圧着部における厚み（Ｗ４）が最も薄く該圧着部における密度が最も高く形成されており、
前記表面シートの凹凸部とは別に、前記表面シートと前記吸収体とを部分的に固着する多数のエンボスを有し、
前記多数のエンボスは、それぞれの大きさが、前記表面シートの長手方向に関して列をなす凸部を連続して３個以上圧縮せず、且つ該表面シートの幅方向に関して列をなす凸部を連続して３個以上圧縮しない大きさであり、該エンボスの底面の大きさが前記凸部の底面積の平均値の４倍以下であり、該エンボスは、前記表面シートの肌当接面側に、前記吸収性物品の長手方向に沿う両側部領域それぞれに、該多数のエンボスそれぞれが互いに離間されて設けられ、中央領域である排泄部領域に設けられておらず、長手方向に隣り合う前記エンボスの間には、前記凸部が２個以上存在しており、該エンボスの底面は、隣り合う前記エンボスの間に配された前記表面シートの前記圧着部よりも非肌当接面側に窪んでいる吸収性物品。
【発明の詳細な説明】
【技術分野】
【０００１】
本発明は、生理用ナプキン、失禁パッド、使い捨ておむつ等の吸収性物品に関する。
【背景技術】
【０００２】
従来、吸収された液の隠蔽性が高い表面シートとして、２枚以上のシートから構成されており、肌当接面側のシートを凹凸形状に賦形した表面シートの技術が特許文献１に開示されている。このような表面シートは、吸収された体液の隠蔽性が高く、且つ肌触りがソフトなものである。このような表面シートを、例えば、生理用ナプキンに使用する場合、表面シートと吸収体とを固定するためにエンボスを設ける必要がある。引用文献２には、凹凸形状に賦形した表面シートと吸収体とを固定するために、略長円状に連結した環状エンボスを設ける技術が開示されている。
しかしながら、環状エンボスを設けた場合、せっかく賦形した表面シートの凹凸形状を広範囲で潰してしまい、表面シートの体液の隠蔽性を損ねてしまう。また、表面シートと吸収体とを固定するエンボスはプレス加工されているため、エンボス部分は硬くなり、環状エンボスのように範囲が広いと、表面シートの肌触りがソフトであるという特徴を低減してしまう。
【０００３】
また、製品の幅方向からの体液の横漏れを防止するために、体液の排泄部領域の両側部に、それぞれ、長手方向に沿って連続して延びるエンボスを設けた吸収性物品の技術が引用文献３に開示されている。
しかしながら、生理用ナプキンにおいて、特に、体液の隠蔽性を高く且つ肌触りをソフトに保ちたい排泄部領域の両側部に、それぞれ、長手方向に連続して延びるエンボスを設けると、凹凸形状に賦形した表面シートの特徴を低減してしまう。
尚、引用文献に記載の生理用ナプキンに設けるエンボスの目的は、製品の幅方向からの体液の横漏れを防止するためであり、凹凸形状の表面シートの特徴を低減しないことについては、何ら記載されていない。
【０００４】
また、表面シートと前記吸収体とを部分的に固着するエンボスが、分離して形成されており、長手方向の両側部に沿ってそれぞれ延びている生理用ナプキンの技術が引用文献４に開示されている。しかしながら、引用文献４には、凹凸形状の表面シートの特徴を低減しないことについて、何ら記載されていない。
【０００５】
【特許文献１】特開２００４−１７４２３４号公報
【特許文献２】特開２００４−４６５号公報
【特許文献３】特開２００５−１０２９００号公報
【特許文献４】特開平２−１２１６６４号公報
【発明の開示】
【発明が解決しようとする課題】
【０００６】
したがって、本発明の目的は、吸収された体液の隠蔽性が高く且つ肌触りをソフトにするために凹凸形状の表面シートを吸収性物品に使用する場合に、表面シートの特徴である凹凸形状を損なうことなく、身体の形状や動きに適合し、モレやヨレ防止性を高めたエンボスを有する吸収性物品を提供することにある。
【課題を解決するための手段】
【０００７】
本発明は、肌当接面側に液透過性の表面シート、非肌当接面側に裏面シート、これら両シート間に配された吸収体を具備する縦長の吸収性物品であって、前記表面シートは、２枚以上の繊維シートからなる規則的な凹凸部を有するシートであり、該凸部は、４点以上の圧着部からなる凹部に囲まれ且つ肌当接面側に突出する多数の凸部が形成されており、前記表面シートの凹凸部とは別に、前記表面シートと前記吸収体とを部分的に固着する多数のエンボスを有し、該エンボスは、前記表面シートの肌当接面側に、前記吸収性物品の少なくとも長手方向の両側部に、それぞれが互いに離間されて設けられ、長手方向に隣り合う前記エンボスの間には、前記凸部が２個以上存在している吸収性物品を提供することにより前記目的を達成したものである。
【発明の効果】
【０００８】
本発明によれば、吸収された体液の隠蔽性が高く且つ肌触りをソフトにするために凹凸形状の表面シートを吸収性物品に使用する場合に、表面シートの特徴である凹凸形状を損なうことなく、身体の形状や動きに適合し、モレやヨレ防止性を高めたエンボスを有する吸収性物品を提供することができる。
【発明を実施するための最良の形態】
【０００９】
以下、本発明の吸収性物品である生理用ナプキンの好ましい一実施形態について、図１〜６に基づいて説明する。尚、各図中、同一符号は同一又は同等の構成要素を示している。
【００１０】
図１は本実施形態の生理用ナプキン１の平面図であり、図２は吸収性物品１のＸ−Ｘ線の断面図である。
本実施形態の生理用ナプキン１は、図１，２に示すように、肌当接面側に配置された液透過性の表面シート２、非肌当接面側に配置された液難透過性の裏面シート３及びこれら両シート２，３間に介在された液保持性の吸水体４及び表面シート２の表面に生理用ナプキン１の長手方向の両側部に沿って設けられたサイド防漏シート５を具備し、サイド防漏シート５及び裏面シート２は、吸収体４の周縁から延出する部分において接合部６を形成し、実質的に縦長の生理用ナプキンである。
【００１１】
本実施形態の生理用ナプキン１の表面シート２は、図３（ａ）に示すように、肌当接面側の第１表面シート２ａ及び非肌当接面側の第２表面シート２ｂの２枚の繊維シートからなり、表面シート２には、規則的な凹凸部が形成されている。図４に示すように、表面シート２には、連続しない４点の圧着部８からなる凹部１０で囲まれ且つ肌当接面側に突出する多数の凸部９が形成されている。これらの圧着部８の大きさは、０．０２〜１０ｍｍ2、特に０．０４〜３ｍｍ2であることが好ましい。
本実施形態の生理用ナプキン１は、図１，２に示すように、表面シート２の凹凸部９，１０とは別に、表面シート２と吸収体４とを部分的に固着する多数のエンボス７が、表面シート２の肌当接面側に、生理用ナプキン１の長手方向の両側部に沿って、それぞれ離間されて設けられている吸収性物品である。
【００１２】
本実施形態の生理用ナプキン１の表面シート２は、図３（ａ）に示すように、肌当接面側の第１表面シート２ａと非肌当接面側の第２表面シート２ｂとの接合体から構成されている。表面シート２は、第１表面シート２ａの立体賦形によって、実質的に平坦な第２表面シート２ｂ上に、第１表面シート２ａで形成された多数の凸部９を有するとともに、凸部９と隣接する凸部９との間に凹部１０を有している。第１表面シート２ａと第２表面シート２ｂとは多数の圧着部８により部分的に接合されている。第１表面シート２ａは、着用者の肌当接面側に向けて突出しており、それよって多数の前記の凸部９を形成している。表面シート２の凸部９それぞれの内部は、図３（ａ）に示すように、肌当接面側の第１表面シート２ａと非肌当接面側の第２表面シート２ｂとにより構成されており、中空構造である。本実施形態のそれぞれの凸部９は、４点の圧着部８からなる凹部１０で囲まれているが、４点以上の圧着部８からなる凹部１０で囲まれていることが好ましい。また、各圧着部８は、各凹部１０の一部を形成している。
【００１３】
本実施形態の生理用ナプキン１の表面シート２の凸部９及び凹部１０は、図３（ａ）に示すＸ方向に沿って交互に配置されている。これと共に凸部９及び凹部１０は、Ｘ方向と直交する方向であるＹ方向に沿っても交互に配置されている。表面シート２を第１表面シート２ａの側から平面視すると、図４（ａ）に示すように、凸部９は、千鳥格子状に配置されている。凸部９を千鳥格子状に配置することにより、個々のエンボス７の押し付けに対してエンボス７周辺の個々の凸部９が形状を損なうことなく、形状を安定に保つことができる。
【００１４】
また、凸部９を取り囲む圧着部８を４点と６点の組合せや５点と６点の組合せ等、圧着部を各々の凸部９に対して変化させることで、形状が異なる凸部９を組み合わせて配列をより複雑化することができる。
【００１５】
本実施形態の生理用ナプキン１の表面シート２の凸部９は、全体として稜線が丸みを帯びた扁平な直方体、半球体又は截頭四角錐体となっている。凸部９は、図３（ａ）に示すように、Ｘ方向と平行に位置しかつ相対向する一対の第１壁部９ａを有している。また凸部９は、Ｘ方向と直交する方向であるＹと平行に位置しかつ相対向する一対の第２壁部９ｂを有している。更に凸部９は、各第１壁部９ａの上辺及び各第２壁部９ｂの上辺と連なる天面部９ｃを有している。更に凸部９は、天面部９ｃと対向する面である底面部９ｄを有している。第１壁部９ａ、第２壁部９ｂ及び天面部９ｃは、第１表面シート２ａから構成されている。一方、底面部９ｄは、第２表面シート２ｂから構成されている。
特に凸部９の形状としては、凸部形状を安定させることで着用者の肌との接触面積を低減しムレない使用感を提供する観点、及び凹凸形状でありながら滑らかな肌触り感を提供できる観点から、稜線が丸みを帯びた扁平な直方体、つまり天面部９ｃが略平滑な形状であることが好ましい。また、上記理由から、天面部９ｃの面積よりも底面部９ｄの面積の方が大きく設計されていることが好ましい。更には、Ｘ方向を吸収性物品１の幅方向とした時、第１壁部９ａに対して第２壁部９ｂの形状が上記底面部９ｄの方向に向かってより外側に、すなわちＹ軸を吸収性物品１の長手方向とした時上記底面部９ｄの前記長手方向の距離を長くする方向に開いた角度で設計されていることが、体液の幅方向の拡散を抑制し、横モレを防止させる観点から好ましい。なお、図４における円形破線部は、おおよその凸部範囲を概念的に示している。
【００１６】
本実施形態の生理用ナプキン１の表面シート２の凸部９を構成する底面部９ｄの面積は、それぞれ、好ましくは、４〜１００ｍｍ2であり、更に好ましくは、４〜２０ｍｍ2である。底面部９ｄの面積が１００ｍｍ2より広すぎると体液移行のための粗密勾配を効果的に形成できず、４ｍｍ2より狭すぎると凸形状が効果的に形成されない。また、図１，６に示す本発明の表面シート２の凸部９の高さｈは、好ましくは、１〜１０ｍｍであり、更に好ましくは、１〜３ｍｍである。凸部９の高さが１０ｍｍより高すぎると体液の引き込み性が低下し、１ｍｍより低すぎると凸形状が効果的に形成されない。
【００１７】
表面シート２の凸部９の高さｈは、以下のようにして計測する。
先ず、表面シートのみあるいは吸収性物品の形態で断面を切り出す。切断の際、凸部９と圧縮部の断面が得られるようにし、切断にはフェザー安全剃刀（株）製ＦＥＡＴＨＥＲ−Ｓ片刃（品番＃ＦＡＳ−１０）を使用し、凸部９を恒常的に変形させないようにした。この状態で、キーエンス製、ＶＨ−８０００マイクロスコープを２５〜１７５倍のレンズユニットを取り付けて使用し、拡大観察をおこなった。この拡大観察によって、高さｈ以外にも後述する図６に示される各厚さも測定できる。
【００１８】
本実施形態の生理用ナプキン１の凸部９を形成する第１表面シート２ａは、その厚み方向に粗密勾配が形成されている。図６に示すように、凸部９の天面部９ｃの第１表面シート２ａの厚みＷ１は、凸部９の裾部の第１表面シート２ａの厚みＷ２よりも嵩高とされていることが、肌触りを良好とし、液を天面部９ｃに留めにくくする観点から好ましい。また、凸部９の底面部９ｄの第２表面シート２ｂの厚みＷ３と圧着部８に隣接する第２表面シート２ｂの厚みＷ４は、厚みの関係がＷ３＞Ｗ４の関係になるようにされていることが、液戻りを防止し圧着部８の周辺に液を集め吸収体４へ液を移行させる観点から好ましい。凸部９の天面部９ｃと第１壁部９ａ及び第２壁部９ｂの裾部を比較すると、第１壁部９ａ及び第２壁部９ｂには凸部形成の延伸により不織布構造が伸ばされ繊維間が接近する（密度の高い）状態となっている。すなわち、凸部９を構成する天面部９ｃの密度が、一対の第１壁部９ａの裾部の密度より低い。一対の第２壁部９ｂについても同様である。このように粗密勾配を第１表面シート２ａに形成すれば、毛細管現象により、体液の吸収体４への移行をスムーズに行うことができる。また、凸部９の底面部９ｄの第２表面シート２ｂの厚みＷ４を最も薄くし、高密度化することにより、体液の引き込み性を一層強化できる。上記凸部９の底面部９ｄの第２表面シート２ｂの厚みＷ３については、高密度化が前提であり、上記凸部９の天面部９ｃの第１表面シート２ａの厚みＷ１の繊維密度をＤ１、上記凸部９の裾部の第１表面シート２ａの厚みＷ２の繊維密度をＤ２、上記凸部９の底面部９ｄの第２表面シート２ｂの厚みＷ３の繊維密度をＤ３とした時、繊維密度の関係が、Ｄ１＞Ｄ２＞Ｄ３となっていることが好ましい。更に言えば、前記表面シート２の圧着部８の繊維密度をＤ４とした時、繊維密度の関係が、Ｄ１＞Ｄ２＞Ｄ３＞Ｄ４となっていることが好ましい。尚、図３（ａ），６に示すように、本実施形態の生理用ナプキン１の凸部９の内部は、中空状、即ち空洞になっている。
【００１９】
本実施形態の生理用ナプキン１の表面シート２の圧着部８は、図３（ａ），４に示すように、Ｘ方向及びＹ方向に関して、千鳥格子状の配列パターンで形成されている。圧着部８の位置が、複合シート１における凹部１０となる。従って、凹部１０は千鳥格子状の配列パターンで形成されている。換言すれば、凹部１０は、Ｘ方向及びＹ方向に関して列をなしている。図３（ａ）に示すように、Ｘ方向に沿う凹部１０の列に着目した場合、隣り合う当該列においては、凹部１０の配置が半ピッチずれている。Ｙ方向においても同様である。
【００２０】
本実施形態の生理用ナプキン１の表面シート２の圧着部８は、図４（ａ）に示すように、圧着部８のうちの、菱形の四隅となる４つの圧着部８ａ，８ｂ，８ｃ，８ｄからなり、圧着部８ａ，８ｂ，８ｃ，８ｄによって囲まれた領域は、凸部９となっている。図３（ａ），４から明らかなように、各凸部９は、それぞれが別個に独立して存在しているのではなく、任意の１つの凸部９に着目したとき、Ｘ方向（及びＹ方向）に関して斜め前方に位置する２つの凸部９、及び斜め後方に位置する２つの凸部９と連結している。凸部９どうしの連結部の高さは、凸部９の頂部の高さよりも低くなっている。一方、凹部１０に関しては、各凹部は、それぞれが別個に独立して存在している。
【００２１】
本実施形態の生理用ナプキン１のエンボス７は、表面シート２と吸収体４とを部分的に固着するものであり、図１に示すように、生理用ナプキン１の肌当接面側に長手方向の両側部に沿って、それぞれ離間されて設けられている。このように生理用ナプキン１の中央領域には、エンボス７が形成されていないため、中央部においては表面シートの肌触りを充分に活かし、かつ側部における液モレを防止することができる。なお、中央部にエンボスを形成することは可能であるが、上記効果を損なわないよう数を少なくしたり、大きさを小さくする等、肌触りに対する配慮が必要である。本実施形態の生理用ナプキン１のエンボス７の形状は、図１，５に示すように円状であるが、矩形状、多角形等であっても良い。
また、必要に応じて、長手方向の両側部に沿った個々のエンボス７の形状と幅方向両端部に沿った個々のエンボス７の形状とを異なるものに設計してもよい。
更には、長手方向の両側部に沿った個々のエンボス７の形状の内、排泄部位に近い位置ほど個々のエンボス７の面積を大きくしてもよい。
【００２２】
本実施形態生理用ナプキン１のエンボス７それぞれの底面は、図２に示すように、表面シート２の圧着部８よりも非肌当接面側に窪んでおり、エンボス７それぞれの底面の大きさは、図５に示すように、圧着部８より大きく、好ましくは、凸部９の底面部９ｄの面積の平均値の４倍以下であり、更に好ましくは、２倍以下である。エンボス７の面積が、底面部９ｄの面積の４倍以下であれば凹凸形状の表面シート２の特徴が低減されない。
さらに本実施形態の生理用ナプキン１の表面シート２のエンボス７それぞれの大きさは、凸部９を連続して３個以下を圧縮する大きさであることが好ましい。エンボス７の大きさが、凸部９を連続して３個以下を圧縮する大きさにすると、エンボス７による溝が形成されず、凹凸形状の表面シート２の特長が低減しない。ここで、連続して３個以上圧縮しない大きさとは、図５に示すように、Ｘ方向に関して列をなす凸部９を連続して３個以上圧縮しないこと、又はＹ方向に関して列をなす凸部９を連続して３個以上圧縮しないことを示す。
【００２３】
本実施形態の生理用ナプキン１の生理用ナプキン１のエンボス７は、図５に示すように、生理用ナプキン１の長手方向に隣り合うエンボス７の間に、凸部９が連続して２個以上存在するように設けられることが好ましい。隣り合うエンボス７間に、凸部９が２個未満であると、エンボス７による溝が形成され、凹凸形状の表面シート２の特長が低減する。
【００２４】
本実施形態のエンボス７は、吸収体４の表面と一体化され、かつ吸収体４に窪みを形成していることから、表面シート２の圧着部８よりエンボス７は吸収体４に近接しているため、液が吸収体４へ移動しやすくされている。この効果は、表面シート２の凸部９から吸収体４への移動においておこるだけでなく、吸収しきれないほど多量の液が排出された場合であっても、千鳥配置や複雑化された凸部９の配置によって表面シート２の圧縮部８の表面を流れる液の経路においても同様である。
【００２５】
本発明に好ましく使用できる吸収体４としては、柔軟なものであれば特に限定されないが、エンボス７の深さが大きいとエンボス７直下の表面シート２の凸部９だけでなく、その周囲の凸部９の形状が崩れ、液の広がりを端部から回避させる効果や肌触りの低下を起こす虞があるため、エンボス７それぞれの大きさは、１〜４ｍｍ、より好ましくは１．５〜２．５ｍｍであることが好ましい。
【００２６】
本実施形態の生理用ナプキン１の表面シート２を構成する第１表面シート２ａと第２表面シート２ｂとしては、従来の吸収性物品等において用いられる各種材料を用いることができる。第１表面シート２ａと第２表面シート２ｂは、実質的に非伸縮性である繊維シートを用いることが好ましい。
【００２７】
本実施形態の生理用ナプキン１の裏面シート３、吸収体４及びサイド防漏シート５としては、従来の吸収性物品等において用いられる各種材料を用いることができる。裏面シート３としては、例えば、水蒸気透過性で且つ液難透過性のフィルムシートである。また、サイド防漏シート５としては、例えば、撥水性のスパンボンド不織布である。また、吸収体４としては、例えば、フラッフパルプと高吸収性ポリマー粒子との混合物がティッシュペーパーに包被されて構成されている。
【００２８】
本実施形態の生理用ナプキン１の圧着部４及びエンボス７の形成方法としては、公知のエンボス法を利用することができる。例えば、超音波エンボス、熱エンボスが利用できる。本実施形態の圧着部４及びエンボス７は、超音波エンボスにより形成されている。
【００２９】
次に上述した本発明の一実施形態の生理用ナプキン１を使用した際の作用効果について説明する。
本実施形態の生理用ナプキン１は、図３（ａ）に示すように、上面側に突出する無数の凸部９を有する表面シート２を備えている。表面シート２は、凸部９の内部が中空構造（空洞）であることから、吸収体４に吸収された体液の色が、表面シート側から見て減殺されるという隠蔽効果がある。また、表面シート２は、多数の凸部９と着用者の肌とが接触するので、接触面積が少なく、肌触りがソフトで且つ滑らかなものである。更に、本実施形態の生理用ナプキン１は、図１に示すように、表面シート２と吸収体４とを部分的に固着する多数のエンボス７を備えている。多数のエンボス７は、生理用ナプキン１の長手方向の両側部に沿って設けられているので、着用者の体液排泄部に当接される生理用ナプキン１の中央領域である排泄部領域には、エンボス７が存在しない。また、多数のエンボス７は、それぞれ所定の大きさで所定の位置に離間して設けられているので、表面シート２の凹凸形状を広範囲で潰してしまうことがなく、エンボスのプレス加工による剛性の向上を抑えることができる。よって、生理用ナプキン１は、表面シート２の特徴を減殺しないエンボス７を備えているので、体液の隠蔽性及び肌触りのソフト感に優れている。
【００３０】
また、本実施形態の生理用ナプキン１は、横漏れを防止するために、表面シートと吸収体とを固着するエンボスを生理用ナプキンの長手方向の両側部に沿って連続して延びるように設けなくても、表面シート２の凸部９によって取り囲まれて形成された凹部１０内に体液を捕捉することができ、また、凸部９を形成する第１表面シート２ａは、その厚み方向に粗密勾配が形成されているので吸収体４への体液の移行がスムーズであるので、横漏れを防止することができる。さらに、凸部９の千鳥配置や圧縮部８の組合せ等によって、仮に表面シート２の吸収速度を超える多量の液が排泄されても、表面シート２上を流れる液は一方向に向かわず分散されるため、表面シート２の圧縮部８や凹部１０によって液を補足し横漏れを防止できる。
【００３１】
本発明の吸収性物品は、上述の実施形態の生理用ナプキンに何ら制限されるものではなく、適宜変更可能である。また、上述の実施形態の生理用ナプキンにおける各構成要件は、本発明の趣旨を損なわない範囲で、適宜組み合わせて実施できる。
【００３２】
例えば、上述の生理用ナプキン１の実施形態においては、表面シート２を２枚のシートから構成しているが、２枚以上のシートから構成しても良い。
【００３３】
また、上述の生理用ナプキン１の実施形態においては、表面シート２の凸部９は、図３（ａ），図４（ａ）に示すように、菱形の四隅となる４つの圧着部８ａ，８ｂ，８ｃ，８ｄで囲まれているが、図３（ｂ），図４（ｂ）に示すように、６つの圧着部８ａ，８ｂ，８ｃ，８ｄ，８ｅ，８ｆで凸部９’を囲んでも良い。６つの圧着部８ａ，８ｂ，８ｃ，８ｄ，８ｅ，８ｆで凸部９’を囲むことにより、凸部９’は、平面視で円に近づけることができる。
【００３４】
また、上述の生理用ナプキン１の実施形態においては、生理用ナプキン１の凸部９の内部は、中空構造（空洞）であるが、中空構造（空洞）でなくても良い。
【００３５】
また、上述の生理用ナプキン１の実施形態における表面シート２において、凸部９の天面部９ｃの密度が、一対の第１壁部９ａの裾部の密度より低く形成されているが、密度勾配を付けなくても良く、逆に、凸部９の天面部９ｃの密度を一対の第１壁部９ａの裾部の密度より高く形成しても良い。一対の第２壁部９ｃについても同様である。
【００３６】
また、上述の生理用ナプキン１の実施形態においては、表面シート２の凸部９及び凹部１０の列は、千鳥格子状の配列パターンで形成されているが、凹凸形状の表面シート２の特徴が低減されない配列ならば、千鳥格子状の配列パターンでなくても良い。
【００３７】
本発明の吸収性物品は、生理用ナプキン以外にも、例えば、パンティーライナー、失禁パッド、展開型の使い捨ておむつ、パンツ型の使い捨ておむつ等の吸収性物品に好適に用いることができる。
【図面の簡単な説明】
【００３８】
【図１】本発明の吸収性物品の一実施形態の平面図である。
【図２】図１の吸収性物品のＸ−Ｘ断面図である。
【図３】（ａ）図１の吸収性物品の表面シートの斜視図である。（ｂ）吸収性物品の他の表面シートの斜視図である。
【図４】（ａ）図３（ａ）に示される表面シートの平面図の拡大図である。（ｂ）図３（ｂ）に示される他の表面シートの平面図の拡大図である。
【図５】図１の吸収性物品の平面図の拡大図である。
【図６】図１の吸収性物品の表面シートの凸部の断面図の拡大図である。
【符号の説明】
【００３９】
１    吸収性物品（生理用ナプキン）
２    表面シート
３    裏面シート
４    吸収体
５    サイド防漏シート
６    接合部
７    エンボス
８    圧着部
８ａ，８ｂ，８ｃ，８ｃ，８ｄ，８ｅ，８ｆ    圧着部
９，９’    凸部
９ａ    第１壁部、９ｂ    第２壁部、９ｃ    天面部、９ｄ    底面部
１０    凹部
【図１】
0005086052.tif 000002
【図２】
0005086052.tif 000003
【図３】
0005086052.tif 000004
【図４】
0005086052.tif 000005
【図５】
0005086052.tif 000006
【図６】
0005086052.tif 000007